(57)【要約】  データ記憶および取出システムは、作用面に配置された複数のヘッドを有するヘッドキャリッジユニットと、テープに、テープの長さに実質的に平行な方向においてヘッドキャリッジユニットの作用面を通過させるように構成されたテープ駆動ユニットとを含む。ヘッドは、ヘッドキャリッジユニットが回転してテープが作用面を通過すると、テープに一次データトラックを書込むように、またはテープから一次データトラックを読出すように構成され、一次データトラックは円弧形状を有し、実質的にテープの幅に沿って延在している。ヘッドは、ヘッドキャリッジユニットが回転してテープが作用面を通過すると、テープに少なくとも１つの二次データトラックを書込むように、またはテープから少なくとも１つの二次データトラックを読出すようにさらに構成され、少なくとも１つの二次データトラックは実質的にテープの長さに沿って延在している。
2015533447.tif 000002
【特許請求の範囲】
【請求項１】
データ記憶および取出システムであって、
作用面に配置された複数の光学ヘッドを有するヘッドキャリッジユニットを備え、前記ヘッドキャリッジユニットは回転運動に適合されており、前記システムはさらに、
長さおよび幅を有する光学テープ媒体を動かす際に用いるテープ駆動ユニットを備え、前記駆動ユニットは、前記テープに、前記テープの長さに実質的に平行な方向において前記ヘッドキャリッジユニットの前記作用面を通過させるように構成され、
前記複数のヘッドは、前記ヘッドキャリッジユニットが回転して前記テープが前記作用面を通過すると、前記テープへの複数の一次データトラックの書込および前記テープからの複数の一次データトラックの読出のうち一方を実行するように構成され、各一次データトラックは、円弧形状を有し、実質的に前記テープの幅に沿って延在しており、前記複数のヘッドは、前記ヘッドキャリッジユニットが回転して前記テープが前記作用面を通過すると、前記テープへの少なくとも１つの二次データトラックの書込および前記テープからの少なくとも１つの二次データトラックの読出のうち一方を実行するように構成され、前記二次データトラックは実質的に前記テープの長さに沿って延在している、システム。
【請求項２】
前記ヘッドキャリッジユニットは実質的にディスク形状であり、前記作用面は実質的に円形であり、前記テープの幅は実質的に円形の前記作用面の直径とほぼ等しい、請求項１に記載のシステム。
【請求項３】
前記作用面に配置された前記複数の光学ヘッドは実質的に円形に配列される、請求項２に記載のシステム。
【請求項４】
前記テープの幅は前記複数の光学ヘッドの円の直径よりも大きい、請求項３に記載のシステム。
【請求項５】
前記複数の光学ヘッドの少なくとも１つは、前記ヘッドキャリッジユニットが静止しており、前記テープが前記作用面を通過すると、前記二次データトラックを読出すように構成される、請求項１に記載のシステム。
【請求項６】
前記テープが前記ヘッドキャリッジユニットの前記作用面を通過すると前記二次データトラックを読出すように構成された固定位置光学ヘッドをさらに備える、請求項１に記載のシステム。
【請求項７】
前記少なくとも１つの二次データトラックは、前記複数の一次データトラックのデータにインデックスを付ける際に用いるデータを有する複数の円弧状部分を含む、請求項１に記載のシステム。
【請求項８】
データ記憶および取出システムであって、
作用面に配置された複数のヘッドを有するヘッドキャリッジユニットを備え、前記ヘッドキャリッジユニットは回転運動に適合されており、前記システムはさらに、
長さおよび幅を有するテープ媒体を動かすためのテープ駆動ユニットを備え、前記テープの幅は、前記ヘッドキャリッジユニットの前記作用面の幅とほぼ等しく、前記駆動ユニットは、前記テープに、前記テープの長さに実質的に平行な方向において前記ヘッドキャリッジユニットの前記作用面を通過させるように構成され、
前記複数のヘッドは、前記ヘッドキャリッジユニットが回転して前記テープが前記作用面を通過すると、前記テープへの複数の一次データトラックの書込および前記テープからの複数の一次データトラックの読出のうち一方を実行するように構成され、前記一次データトラックは、円弧形状を有し、実質的に前記テープの幅に沿って延在しており、前記複数のヘッドは、前記ヘッドキャリッジユニットが回転して前記テープが前記作用面を通過すると、前記テープへの少なくとも１つの二次データトラックの書込および前記テープからの少なくとも１つの二次データトラックの読出のうち一方を実行するように構成され、前記二次データトラックは実質的に前記テープの長さに沿って延在している、システム。
【請求項９】
前記複数のヘッドは光学ヘッドを含み、前記テープ媒体は光学テープを含む、請求項８に記載のシステム。
【請求項１０】
前記ヘッドキャリッジユニットは実質的にディスク形状であり、前記作用面は実質的に円形であり、前記テープの幅は実質的に円形の前記作用面の直径とほぼ等しい、請求項８に記載のシステム。
【請求項１１】
前記作用面に配置された前記複数のヘッドは実質的に円形に配列され、前記テープの幅は前記複数のヘッドの円の直径よりも大きい、請求項１０に記載のシステム。
【請求項１２】
前記複数のヘッドの少なくとも１つは、前記ヘッドキャリッジユニットが静止しており、前記テープが前記作用面を通過すると、前記二次データトラックを読出すように構成される、請求項８に記載のシステム。
【請求項１３】
前記テープが前記ヘッドキャリッジユニットの前記作用面を通過すると前記二次データトラックを読出すように構成された固定位置ヘッドをさらに備える、請求項８に記載のシステム。
【請求項１４】
前記少なくとも１つの二次データトラックは、前記複数の一次データトラックのデータにインデックスを付ける際に用いるデータを有する複数の円弧状部分を含む、請求項８に記載のシステム。
【請求項１５】
データ記憶および取出方法であって、
作用面に配置された複数の光学ヘッドを有するヘッドキャリッジユニットを回転させるステップと、
長さおよび幅を有する光学テープ媒体に、前記テープの長さに実質的に平行な方向において前記ヘッドキャリッジユニットの前記作用面を通過させるステップと、
前記ヘッドキャリッジユニットが回転して前記テープが前記作用面を通過すると、前記複数の光学ヘッドを用いて、前記テープへの複数の一次データトラックの書込および前記テープからの複数の一次データトラックの読出のうち一方を実行するステップとを備え、前記一次データトラックは、円弧形状を有し、実質的に前記テープの幅方向に延在し、前記方法はさらに、
前記ヘッドキャリッジユニットが回転して前記テープが前記作用面を通過すると、前記複数の光学ヘッドを用いて、前記テープへの少なくとも１つの二次データトラックの書込および前記テープからの少なくとも１つの二次データトラックの読出のうち一方を実行するステップを備え、前記二次データトラックは実質的に前記テープの長さに沿って延在している、方法。
【請求項１６】
前記ヘッドキャリッジユニットは実質的にディスク形状であり、前記作用面は実質的に円形であり、前記テープの幅は実質的に円形の前記作用面の直径とほぼ等しい、請求項１５に記載の方法。
【請求項１７】
前記作用面に配置された前記複数の光学ヘッドは実質的に円形に配列され、前記テープの幅は前記複数の光学ヘッドの円の直径よりも大きい、請求項１６に記載の方法。
【請求項１８】
前記複数の光学ヘッドの少なくとも１つは、前記ヘッドキャリッジユニットが静止しており、前記テープが前記作用面を通過すると、前記二次データトラックを読出すように構成される、請求項１５に記載の方法。
【請求項１９】
前記テープが前記ヘッドキャリッジユニットの前記作用面を通過すると前記二次データトラックを読出すように構成された固定位置光学ヘッドをさらに備える、請求項１５に記載の方法。
【請求項２０】
前記少なくとも１つの二次データトラックは、前記複数の一次データトラックのデータにインデックスを付ける際に用いるデータを有する複数の円弧状部分を含む、請求項１５に記載の方法。
【発明の詳細な説明】
【技術分野】
【０００１】
以下は、回転ヘッドと、横方向の一次データトラックおよび縦方向の二次データトラックを有するテープ媒体とを利用する、データ記憶および取出のためのシステムならびに方法に関する。
【背景技術】
【０００２】
背景
典型的なテープデータ記憶および取出方法は、テープを縦に走るトラックへのデータの記録または書込と、テープからのそのようなデータトラックの取出または読出とを含む。複数ストライプ磁気ヘッドを用いて多くの平行トラックの書込および／または読出が行われ、当該磁気ヘッドは磁気テープの幅に沿って軽く揺れてより多くのトラックを書込むおよび／または読出す能力を有する。レーザヘッドを用いる光学テープデータ記憶および取出システムも同様に動作する。
【０００３】
磁気および光学テープ媒体は、データバックアップまたはアーカイブ作業などにおける大量のデータの長期保管のためによく用いられる。しかし、上記の複数ストライプヘッド設計は、テープ長がアーカイブ作業などにおいて容量を増やすために長くなるにつれて、テープの端に記憶されたデータにアクセスするのにかかる時間が長くなるため、非効率になる。短いテープは長いテープよりもアクセス時間が短くなるが、短いテープ長は記憶容量もより制限されるため、大量のデータを伴うアーカイブ作業が妨げられてしまう。容量を増大させる幅広テープは、ヘッドにより多くのトランスデューサを必要とする。データスループットも、テープ幅およびヘッド数の要因である。複数ストライプヘッド設計に対する制限は、読出および書込ヘッドの数、ならびにテープ全幅を含む。
【０００４】
上述のように、磁気または光学ヘッドは、テープ媒体面を縦に走る縦方向のトラックまたは一連のスポットにデータを書込む。テープ中のサーチまたはデータの「シーク」は、記録媒体上のインデックスまたはメタデータ区分にリストされたデータを得るためのテープ中の高速モーションを容易にするインデッキシング情報を用いて達成される。既存の記録方法は、シークの行われ方について本質的に非効率である。テープを必要な箇所に高速で位置付けてから読出のためにテープの速度を落とすことによってしかデータにアクセスできず、これは数秒の遅れの原因となる。
【０００５】
したがって、改良されたテープ媒体データ記憶システムおよび方法が必要とされる。そのようなシステムおよび方法は、より大きいテープ表面積がヘッドと接触する回転ヘッド設計を含むであろう。シーク時間の大幅な向上、およびデータ容量に対して向上したシーク時間は、テープの長さを横切って走るトラックに一次データを書込み、同時にサーチインデッキシング情報、たとえば「データタグ」のためにテープの長さに沿って縦方向に走る二次トラックを書込む回転ヘッドを用いることによって達成されるであろう。
【０００６】
テープ長に比例してより大きい幅を有するテープを用いると、大量のデータをテープ全体にわたってトラックに記憶しつつ、付加的なサーチ情報を媒体の一方または両方の端部に沿って縦に１本以上のストライプに書込むことができるであろう。そのようなシステムおよび方法はさらに、有利に幅広テープを用いて、テープに縦方向に書込まれたインデッキシングスキームを提供し、これは実際の一次データトラックをスキップしつつ高速シークおよび／またはサーチのために用いられ得る。
【発明の概要】
【課題を解決するための手段】
【０００７】
概要
ここに開示される一実施形態によると、データ記憶および取出システムが提供される。システムは、作用面に配置された複数の光学ヘッドを有するヘッドキャリッジユニットを含む。ヘッドキャリッジユニットは回転運動に適合されている。システムはさらに、長さおよび幅を有する光学テープ媒体を動かす際に用いるテープ駆動ユニットを含む。駆動ユニットは、テープに、テープの長さに実質的に平行な方向においてヘッドキャリッジユニットの作用面を通過させるように構成される。
【０００８】
この実施形態では、複数のヘッドは、ヘッドキャリッジユニットが回転してテープが作用面を通過すると、テープへの複数の一次データトラックの書込およびテープからの複数の一次データトラックの読出のうち一方を実行するように構成され、各一次データトラックは円弧形状を有し、実質的にテープの幅に沿って延在している。複数のヘッドは、ヘッドキャリッジユニットが回転してテープが作用面を通過すると、テープへの少なくとも１つの二次データトラックの書込およびテープからの少なくとも１つの二次データトラックの読出のうち一方を実行するようにさらに構成され、二次データトラックは実質的にテープの長さに沿って延在している。
【０００９】
別の実施形態によると、作用面に配置された複数のヘッドを有するヘッドキャリッジユニットを含むデータ記憶および取出システムであって、ヘッドキャリッジユニットは回転運動に適合されているシステムが提供される。システムはさらに、長さおよび幅を有するテープ媒体を動かすためのテープ駆動ユニットを含み、テープの幅は、ヘッドキャリッジユニットの作用面の幅とほぼ等しい。駆動ユニットは、テープに、テープの長さに実質的に平行な方向においてヘッドキャリッジユニットの作用面を通過させるように構成される。
【００１０】
この実施形態では、複数のヘッドは、ヘッドキャリッジユニットが回転してテープが作用面を通過すると、テープへの複数の一次データトラックの書込およびテープからの複数の一次データトラックの読出のうち一方を実行するように構成され、各一次データトラックは円弧形状を有し、実質的にテープの幅に沿って延在している。複数のヘッドはさらに、ヘッドキャリッジユニットが回転してテープが作用面を通過すると、テープへの少なくとも１つの二次データトラックの書込およびテープからの少なくとも１つの二次データトラックの読出のうち一方を実行するように構成され、二次データトラックは実質的にテープの長さに沿って延在している。
【００１１】
ここに開示される別の実施形態によると、データ記憶および取出方法が提供される。方法は、作用面に配置された複数の光学ヘッドを有するヘッドキャリッジユニットを回転させるステップと、長さおよび幅を有する光学テープ媒体に、テープの長さに実質的に平行な方向においてヘッドキャリッジユニットの作用面を通過させるステップとを含む。方法はさらに、ヘッドキャリッジユニットが回転してテープが作用面を通過すると、複数の光学ヘッドを用いて、テープへの複数の一次データトラックの書込およびテープからの複数の一次データトラックの読出のうち一方を実行するステップを含み、各一次データトラックは円弧形状を有し、実質的にテープの幅に沿って延在している。方法はさらに、ヘッドキャリッジユニットが回転してテープが作用面を通過すると、複数の光学ヘッドを用いて、テープへの少なくとも１つの二次データトラックの書込およびテープからの少なくとも１つの二次データトラックの読出のうち一方を実行するステップを含み、二次データトラックは実質的にテープの長さに沿って延在している。
【００１２】
これらの実施形態および添付の図面の詳細な説明を以下に述べる。
【図面の簡単な説明】
【００１３】
【図１】回転ヘッドデータ記憶および取出システムの実施形態の斜視図である。
【図２】ここに開示されるデータ記憶および取出システムの実施形態の上面図である。
【図３】ここに開示されるデータ記憶および取出システムの実施形態の側面図である。
【図４】ここに開示されるデータ記憶および取出方法の実施形態を示す簡略化したフローチャートの図である。
【発明を実施するための形態】
【００１４】
詳細な説明
図１〜図４を参照して、テープ媒体および回転ヘッドを利用するデータ記憶および取出システムならびに方法を説明する。説明を簡単にして理解を容易にするため、ここでは図面全体にわたって同様の構成要素および特徴には同様の参照番号を使用している。
【００１５】
上述のように、改良されたテープ媒体データ記憶システムおよび方法は、より大きいテープ表面積がヘッドと接触する回転ヘッド設計を含むであろう。幅広テープ媒体は、より大きいテープ表面積をヘッドに提供し、大データ容量および高速アクセス時間の両方を達成する。動いているヘッドをテープが縦方向に通過する間、ヘッドは実質的に垂直にテープ幅方向にスイープされ得る。複数のヘッドが回転ヘッドメカニズムに組立てられ、テープ上に近似円弧状に複数のトラックを書込むおよび／または読出し得る。ここに開示されるデータ記憶システムおよび方法は、多くの高速ヘッドに近接した大きいテープ表面を可能にする。このような設計によって、データレートおよびテープの１インチ当たりのデータ容量の性能が向上する。この設計によって、高速サーチ用のより短いテープ、または極めて大きいデータバンク用のより長いテープが容易になる。
【００１６】
これも上述のように、典型的なデータ記録技術を用いると、磁気または光学ヘッドは、テープ媒体面を縦に走る縦方向のトラックまたは一連のスポットにデータを書込む。テープ中のサーチまたはデータの「シーク」は、記録媒体上のインデックスまたはメタデータ区分にリストされたデータを得るためにテープ中の高速モーションを容易にするインデッキシング情報を用いて達成される。既存の記録方法は、シークの行われ方について本質的に非効率である。テープを必要な箇所に高速で位置付けてから読出のためにテープの速度を落とすことによってしかデータにアクセスできず、これは数秒の遅れの原因となる。
【００１７】
シーク時間の大幅な向上、およびデータ容量に対して向上したシーク時間は、テープを実質的に横切って走るトラックに一次データを書込み、同時にサーチインデッキシング情報、たとえば「データタグ」のためにテープを実質的に縦方向に走る二次トラックを書込む回転ヘッドを用いることによって達成され得る。テープ長に比例してより大きい幅を有するテープによって、大量のデータをテープ幅方向においてトラックに記憶しつつ、サーチ情報の付加的な部分をテープの一方または両方の端部に沿って縦に１本以上のストライプに書込むことができる。たとえば、４インチ幅のテープは、典型的な１／２インチ幅のテープよりもテープ１フィート当たり８倍の情報を含み得る。ここに開示されるシステムおよび方法は、幅広テープを有利に用いて、テープに縦方向に書込まれるインデッキシング情報をインデッキシングスキームに提供し、これはテープ幅方向に記録された一次トラックに記憶された大量のデータをスキップしつつ高速シークおよび／またはサーチのために用いられ得る。
【００１８】
次に図１を参照して、テープ媒体を用いる回転ヘッドデータ記憶および取出システムの斜視図が示される。テープ駆動システム１０は、光学テープであり得るテープ媒体１２と、支持サーボ駆動システム１４とを含む。テープ媒体１２は供給リール１６上に供給され得、供給リール駆動モータ２０および巻取リール駆動モータ２２のサーボ作用によって巻取リール１８に送られ得る。２つのモータ２０，２２は共に作用して、矢印２４によって示される方向におけるテープ経路に沿ったテープ１２のスムーズな動きを提供し得る。
【００１９】
図１に見ることができるように、テープ媒体１２は幅（ｗ）とテープ１２のそれぞれの端から伸びる長さ（ｌ）とを有し、これらの端は供給および巻取リール１６，１８に取付けられている（図示せず）。テープ経路は、テープ１２がヘッドアセンブリ２８を通過するように駆動される際にテープ１２の制御を提供するのに役立つ一連のガイドローラ２６を有する。テープ１２に閉ループ動作制御を提供し、ヘッドアセンブリ２８に対してテープ１２の張力および位置を正確に制御するために、サーボ制御システム（図示せず）を用いてもよい。
【００２０】
これも図１に見られるように、ヘッドアセンブリ２８は実質的にディスク形状であり得、テープ媒体１２に近接して実質的に円形かつ実質的に平面の作用面３０を含み得る。ヘッドアセンブリ２８は、テープ媒体１２にデータを記録するおよび／またはテープ媒体１２からデータを読出すための複数のヘッド３２を含み得る。その点について、ヘッドアセンブリ２８は、テープ媒体１２が矢印２４によって示される方向に動くと、矢印３４によって示される方向に動作時に回転する。図１の回転ヘッドデータ記憶および取出システムを、その開示全体が引用によって本明細書に援用される米国特許番号第８，２２５，３３９号および米国特許出願番号第１３／６２２，６０７号における付加的な特徴、構成要素、動作、機能および方法とともにさらに説明する。
【００２１】
次に図２および図３を参照して、ここに開示されるデータ記憶および取出システム１０′の実施形態の上面図および側面図が示される。特に図３に見られるように、ヘッドアセンブリ２８′はヘッドキャリッジユニット３６上に製作され得る。キャリッジ３６は、光学テープ１２′に対するデータの実際の書込／読出または記録／取出を実行する複数の光学ピックアップユニット（ＯＰＵ）レーザアセンブリ３２′を保持し得る。特定の数のＯＰＵアセンブリ３２′が図２に示されるが、任意の数のＯＰＵ３２′が用いられ得る。
【００２２】
図２に見られるように、ＯＰＵアセンブリ３２′は回転ヘッドキャリッジ２８′上に半径方向に、固定半径で実質的に円形パターンに配置され得る。ＯＰＵアセンブリ３２′をこのように位置決めすることによって、ヘッドアセンブリ２８′が矢印３４′によって示される方向に回転し、テープ１２′が矢印２４′によって示される方向に動くと、各ＯＰＵ３２′からの光ビームが実質的に等しい半径円弧をテープ媒体１２′上に転記することが確実になり得る。
【００２３】
図３に見られるように、回転可能なヘッドアセンブリ２８′はテープ媒体１２′の下に装着され得る。回転可能なヘッドアセンブリ２８′を支持するためにスピンドルシャフト４０が設けられ得る。ヘッドアセンブリ２８′は、ヘッドアセンブリ２８′に組込まれ得るヘッド駆動モータ４２によって回転駆動され得る。その点について、回転ヘッドアセンブリ２８′に関連付けられる受動ロータ磁石４４が、テープ駆動ベース４６内に固定されるステータコイル（図示せず）のコミュテーションによって駆動され得る。
【００２４】
引続き図３を参照して、ＯＰＵアセンブリ３２′の機能およびデータ通信を制御するためにヘッドアセンブリ回路基板４８が設けられ得る。誘導結合５０を介してヘッド回路４８に電力が供給され得る。ＯＰＵアセンブリ３２′へのおよびＯＰＵアセンブリ３２′からのデータ信号は、誘導結合５０を介して送信され得る。テープ駆動ベース４６内に配置され得る回路基板５２によって、モータ制御およびさらなるデータ信号処理が行なわれ得る。
【００２５】
再び図２を参照して、ヘッドアセンブリ２８′上のテープ媒体１２′の経路が示される。上述のように、テープ媒体１２′は、矢印２４′によって示される方向においてヘッドアセンブリ２８′上を通過し得る。ヘッドアセンブリ２８′はさらに、矢印３４′によって示されるように回転する。テープ媒体１２′が矢印２４′の方向に動き、ヘッドアセンブリ２８′が矢印３４′の方向に回転すると、各ＯＰＵ３２′がテープ媒体１２′を通過することによって、記録スポットのデータトラックが生じ、これらは実質的に同様の近似円弧５４でテープ媒体１２′に転記され得る。テープ媒体１２′がヘッド３８を通過することによって、真の円弧から記録されたデータトラックが、回転ヘッドの速度および動いているテープ１２′の速度に比例して細長い円弧５４にスキューされるため、円弧５４は半径のみが近似している。
【００２６】
ＯＰＵアセンブリ３８からの回転レーザスポットが、テープ媒体１２および回転ヘッドアセンブリ２８′の速度の関数としての間隔を互いに空けてデータトラック５４を個別に書込むようにテープ媒体１２′の速度を制御するために、サーボ制御方法およびシステム（図示せず）を提供してもよい。その点について、テープ媒体１２′とヘッドアセンブリ２８′との相対速度は大きくてもよく、ヘッドアセンブリ２８′の速度はＢｌｕ−Ｒａｙ（商標）のＤＶＤの記録速度をエミュレートし、テープ媒体１２′の速度は非常に低くてもよい。この結果、テープ媒体１２′および記録ヘッド３２′の両方を動かすことによって、回転ヘッドアセンブリ２８′を有するここに開示されるデータ記憶システムおよび方法は、非常に高いデータレートおよび非常に大きい記憶容量を提供し得る。
【００２７】
上述のように、ヘッドキャリッジアセンブリ２８′は実質的にディスク形状であり得、テープ媒体１２′に近接して実質的に円形かつ実質的に平面の作用面３０′を含み得る。しかし、ヘッドアセンブリ２８′および作用面３０′は異なる形状および／または構成を有し得ることに留意すべきである。さらに、ＯＰＵアセンブリ３２′は、テープ媒体１２′およびヘッドキャリッジアセンブリ２８′に対するＯＰＵ３２′の動きを制御するためのサーボサブシステムを含み得、当該動きはヘッドキャリッジアセンブリ２８′の作用面３０′上のＯＰＵ３２′の半径方向の動きを含む。
【００２８】
次に図２を参照して、ここに開示されるシステム１０′の回転ヘッド３２′および方法は、テープ１２′の長さ（ｌ）を実質的に横切って「円弧」に、つまり円弧状の一次データトラック５４にデータを書込む。各ヘッド３２′は回転期間の一定部分の間、および一次データに使用されないテープ媒体１２′の一部にわたってアイドル状態であり得る。回転のこのアイドル部分を利用してテープ媒体１２′にさらなる情報を書込むことによって、回転ヘッド３２′を用いて、システム性能または書込速度に影響を与えることなく、背景で、または一次データトラック５４内のデータ記録と並行して、インデッキシングタスクが達成され得る。
【００２９】
より具体的に、動いている媒体１２′に対する回転記録時にヘッド３２′の回転によってテープ媒体１２′の幅（ｗ）方向に転記される円弧は、テープ１２′が各円弧同士の間の間隔を得るためにヘッド３２′のわずかに下を必ず動いているため、実際はテープ１２′に沿ってわずかに伸びている。ヘッド３２′がテープ１２′上を通過することによって書込まれる各一次データトラック５４の円弧長は、記録処理時に円弧状のデータトラック５４の端が隣接する円弧状のデータトラック５４に接近しないように、完全な１８０°の円弧よりも短く設計される。
【００３０】
ここに開示されるシステム１０′および方法の実施形態によると、テープ１２′が回転ヘッド３２′によって追跡され得る円弧よりもわずかに幅広に設計され得ることによって、テープ媒体１２′の側波帯をサーチ／シーク情報に用いることができる。より特定的に、媒体１２′の側波帯は、ヘッド３２′がテープ１２′の端部５６の近くで、矢印２４′によって示されるテープ１２′の動く方向に実質的に平行に進んでいるときのヘッド３２′の回転の一部と一致し得る。このように、テープ１２′の長さ（ｌ）に沿って１つ以上の二次データトラック５８に二次データが書込まれ得る。その点について、１つまたは複数の二次データトラック５８はテープ１２′の長さ（ｌ）に沿って実質的に直線のまたは縦方向のテープ１２′に沿った経路全体を追跡し得るが、そのような１つまたは複数の二次トラック５８は相対的に短い複数の円弧状のデータトラックを含み得、各データトラックは、ヘッド３２′がテープ１２′の端部５６に沿って通過しつつ短時間の書込のために起動されると記録されることに留意すべきである。代替的な実施形態では、１つまたは複数の二次トラック５８に記録されたデータにアクセスするまたは当該データを読出すために、パーキングされた回転ヘッド３２′または別個の固定位置ヘッド（図示せず）を用いてもよい。
【００３１】
上述のように、典型的なデータテープ記録装置は、テープのヘッダ領域内のファイル管理情報とともに、テープ媒体に沿ったインデッキシングマークに基づいてサーチ／シーク戦略を利用する。このような戦略は性能上の問題をもたらす。ファイルのサーチおよびテープ中の情報のシークは、テープが進むことが可能な速さでしか達成できない。必要なものは、テープ速度に依存しないサーチおよびシーク情報のための方法である。
【００３２】
ここに開示されるシステム１０の二次元データ記録および方法は、２つの異なるデータ構造を同じ媒体上に提供することによって、テープ速度への依存を排除する。一方のデータ構造である一次データ構造は、横方向に、テープ１２′の幅（ｗ）方向に、円弧状の一次データトラック５４に記録される。別のデータ構造である二次データ構造は、縦方向に、テープ１２′の長さ（ｌ）に沿って、１つ以上の二次データトラック５８に記録される。この結果、一次データサイズおよびレートはテープ１２′の幅（ｗ）に比例し、二次データサイズおよびレートはテープ１２′の長さ（ｌ）および速度に比例する。
【００３３】
このように、幅広テープに記憶された大量のデータのサーチが迅速に達成され得る。開示されるシステム１０′および方法に係る１つ以上の二次データトラック５８に記憶されるインデッキシング情報がなければ、回転ヘッドを利用する幅広テープ１２′によって、テープの線速度（たとえば１／８インチ／秒）である一次データトラック５４を読出すための速度でのサーチおよびシークしか可能にならないであろう。しかし、そのような二次トラック５８に記憶されたそのようなインデッキシング情報を用いると、一次データ用のテープ速度よりもはるかに速い（たとえば１０ｍ／秒）テープ線速度で二次データを利用することができる。この結果、同じテープ速度および単一の光学媒体層と比較すると、標準的な１／２インチテープに対してサーチ／シーク動作が約８倍向上する。
【００３４】
再び図２および図３を参照して、データ記憶および取出システム１０′は、回転運動に適合され、かつ作用面３０′に配置された複数のヘッド３２′を有する、ヘッドキャリッジユニット２８′を含み得る。システム１０′は、長さ（ｌ）および幅（ｗ）を有するテープ媒体１２′を動かすためのテープ駆動ユニットをさらに含み得る。テープ幅（ｗ）は、ヘッドキャリッジユニット２８′の作用面３０′の幅とほぼ等しくてもよい。駆動ユニットは、テープ１２′に、テープ１２′の長さ（ｌ）に実質的に平行な方向２４′においてヘッドキャリッジユニット２８′の作用面３０′を通過させるように構成され得る。
【００３５】
複数のヘッド３２′は、ヘッドキャリッジユニット２８′が回転してテープ１２′が作用面３０′を通過すると、一次データトラック５４が円弧形状を有し、実質的にテープ１２′の幅（ｗ）に沿って延在するように、テープ１２′への複数の一次データトラック５４の書込および／またはテープ１２′からの複数の一次データトラック５４の読出を実行するように構成され得る。複数のヘッドは、ヘッドキャリッジユニット２８′が回転してテープ１２′が作用面３０′を通過すると、１つまたは複数の二次データトラック５８が実質的にテープ１２′の長さ（ｌ）に沿って延在するように、テープ１２′への１つ以上の二次データトラック５８の書込、および／またはテープ１２′からの１つ以上の二次データトラック５８の読出を実行するようにさらに構成され得る。
【００３６】
上述のように、複数のヘッド３２′は光学ヘッドを含み得、テープ媒体１２′は光学テープを含み得る。ヘッドキャリッジユニット２８′は実質的にディスク形状であり得、作用面３０′は実質的に円形であり得、テープ幅（ｗ）は実質的に円形の作用面３０′の直径とほぼ等しくてもよい。作用面３０′に配置された複数のヘッド３２′は実質的に円形に配列され得、テープ幅（ｗ）は複数のヘッド３２′の円の直径よりも大きくてもよい。
【００３７】
これも上述のように、複数のヘッド３２′の少なくとも１つは、ヘッドキャリッジユニット２８′が静止しており、テープ１２′が作用面３０′を通過すると、１つまたは複数の二次データトラック５８を読出すように構成され得る。代替的に、固定位置ヘッドが設けられ得、テープ１２′がヘッドキャリッジユニット２８′の作用面３０′を通過すると１つまたは複数の二次データトラック５８を読出すように構成され得る。１つまたは複数の二次データトラック５８は、複数の一次データトラック５４のデータにインデックスを付ける際に用いるデータを有する複数の円弧状部分を含み得る。
【００３８】
次に図４を参照して、ここに開示されるデータ記憶および取出方法６０の実施形態の簡略化したフローチャートが示される。ここに見られるように、方法６０は、作用面に配置された複数の光学ヘッドを有するヘッドキャリッジユニットを回転させるステップ６２と、長さおよび幅を有する光学テープ媒体に、テープの長さに実質的に平行な方向においてヘッドキャリッジユニットの作用面を通過させるステップ６４とを含み得る。
【００３９】
方法６０は、ヘッドキャリッジユニットが回転してテープが作用面を通過すると、複数の光学ヘッドを用いて、テープへの複数の一次データトラックの書込および／またはテープからの複数の一次データトラックの読出を実行するステップ６６をさらに含み得、一次データトラックは円弧形状を有し、実質的にテープの幅に沿って延在している。方法６０は、ヘッドキャリッジユニットが回転してテープが作用面を通過すると、複数の光学ヘッドを用いて、テープへの二次データトラックの書込および／またはテープからの二次データトラックの読出を実行するステップ６８をさらに含み得、二次データトラックは実質的にテープの長さに沿って延在している。
【００４０】
ここで再び、図２および図３に関して上で述べたように、ここに開示されるデータ記憶方法６０の実施形態によると、複数のヘッド３２′は光学ヘッドを含み得、テープ媒体１２′は光学テープを含み得る。ヘッドキャリッジユニット２８′は実質的にディスク形状であり得、作用面３０′は実質的に円形であり得、テープ幅（ｗ）は実質的に円形の作用面３０′の直径とほぼ等しくてもよい。作用面３０′に配置された複数のヘッド３２′は実質的に円形に配列され得、テープ幅（ｗ）は複数のヘッド３２′の円の直径よりも大きくてもよい。
【００４１】
これも図２および図３に関して上で述べたように、ここに開示されるデータ記憶方法６０の実施形態によると、複数のヘッド３２′の少なくとも１つは、ヘッドキャリッジユニット２８′が静止しており、テープ１２′が作用面３０′を通過すると、１つまたは複数の二次データトラック５８を読出すように構成され得る。代替的に、固定位置ヘッドが設けられ得、テープ１２′がヘッドキャリッジユニット２８′の作用面３０′を通過すると１つまたは複数の二次データトラック５８を読出すように構成され得る。１つまたは複数の二次データトラック５８は、複数の一次データトラック５４のデータにインデックスを付ける際に用いるデータを有する複数の円弧状部分を含み得る。
【００４２】
上記の説明から明らかであるように、回転ヘッド設計を有する改良されたテープ媒体データ記憶および取出システムならびに方法が提供される。開示されるシステムおよび方法は、回転ヘッドを用いて、実質的にテープ幅方向に走るトラックに一次データを書込み、同時にサーチインデッキシング情報のためにテープを実質的に縦方向に走る二次データトラックを書込むことによって、シーク時間の大幅な向上、およびデータ容量に対して向上したシーク時間を提供する。このように、ここに開示されるシステムおよび方法は、有利に幅広テープを用いて、テープ長の縦方向に書込まれるインデッキシング情報をインデッキシングスキームに提供し、これは、テープ幅方向に記録された一次トラックに記憶された大量のデータをスキップしつつ高速シークおよび／またはサーチ動作のために用いられ得る。
【００４３】
テープ媒体を利用する回転ヘッドデータ記憶および取出システムならびに方法の一定の実施形態をここに図示および説明したが、それらは例示的なものに過ぎず、これらの実施形態がすべての可能な実施形態を図示および説明していることを意図していない。むしろ、ここに使用される用語は限定ではなく説明の用語であり、以下の特許請求の範囲の思想および範囲から逸脱することなくさまざまな変更がなされ得ることが理解される。
【図１】
2015533447.tif 000003
【図２】
2015533447.tif 000004
【図３】
2015533447.tif 000005
【図４】
2015533447.tif 000006
【国際調査報告】
2015533447.tif 000007
2015533447.tif 000008